(57)【要約】【課題】店舗・イベント会場等に、宣伝・広告のため、数本以上の同一の  のぼり旗  が立っている（図１）。通行者０２か、または彼に向かってくる対向通行者０３  の片方は、風向きによって  のぼり旗  の判読困難な裏面しか見えない。【解決手段】同一  または類似の  のぼり旗  を複数枚制作するとき、のぼり旗  の縦竿０６  を通す  乳０７を  のぼり旗  正面の左側に取りつける  のぼり旗００  と  のぼり旗  正面の右側に縦竿０６  を通す  乳０８  を取り付ける  対向のぼり旗０１を同枚数  制作する（図２）。図４のように、対向のぼり旗０１  と  のぼり旗００  を交互に立てると、通行者０２が、のぼり旗００  の正面を見るとき、対向のぼり旗０１  の裏面を見るが、一方  対向通行者０３は、対向のぼり旗０１の正面を見るとともに、のぼり旗００の裏面を見る。風の方向が変化しても、通行者０２  も、対向通行者０３も、常時  同一の  のぼり旗列の半数の  のぼり旗の正面を見られる。【選択図】図４
2010271438.tif 000002
【特許請求の範囲】
【請求項１】
形状が長方形、正方形、多角形、半円形等である  同一あるいは類似の  のぼり旗の、一方の側に設けられた縦竿を通す複数の乳について、のぼり旗の一定数量は  従来通り、のぼり旗の正面の左側に乳を取り付けるとき、それに見合う数量の  のぼり旗は、縦竿を通す複数の乳を、のぼり旗の正面の右側に取り付けるのを特徴とする  対向のぼり旗。
【発明の詳細な説明】
【技術分野】
【０００１】
本発明は、店舗・イベント会場等に２本以上の同一  あるいは類似の  のぼり旗  をたてる場合に、通行者  および  この通行者に向かって近づいてくる  対向通行者  ともに  一本以上は、のぼり旗  の正面が見られる  対向のぼり旗  に関するものである。
【背景技術】
【０００２】
店舗・イベント会場等の通路に沿って、催しもの等の宣伝・広告のために、のぼり旗  を  １本だけでなく、通行者に  より強烈な印象を与えるため、２本以上  複数本の同一  のぼり旗  を立てることが行われている。
【０００３】
しかし、図１において、地点０４  から地点０５  へ向かう  通行者０２  は、風が左方向から吹いているとき、すべての  のぼり旗  の正面を見るが、  一方、同時刻に  地点０５  から  地点０４  へ向かっている（すなわち、通行者０２  に向かって近づいてくる）  対向通行者０３  にとっては、風は右から吹いていて  のぼり旗  の判読困難な裏面だけを見ることになる  （図１）。
【０００４】
店舗・イベント会場等の  のぼり旗の列を眺めながら行き交う通行人全体の半数ともいえる  対向通行者０３  などが、判読困難な  のぼり旗の裏面を見なくてはならないことは、彼等への配慮を欠くことになっており、宣伝・広告の効果を著しく減じているという問題があった。
【０００５】
この改善策として、図２は同一の  のぼり旗  を２枚以上  複数枚制作するときは、のぼり旗  の  縦竿０６  を通す  乳０７  を  のぼり旗  正面の左側に取りつける  従来の  のぼり旗００  と  のぼり旗  正面の右側に  縦竿０６を通す乳０８  を取り付ける  対向のぼり旗０１  を同枚数  制作する方法を示す。この  対向のぼり旗０１  は、その正面右側の  乳０８  に縦竿０６  を通して使用する（図３）。なお、のぼり旗の上端  横竿１０  の乳は、従来通り。
【先行技術文献】
【特許文献】
【０００６】
【特許文献１】特開２００５−８４３８５号公報  など前記  「特開２００５−８４３８５号公報」は、のぼり旗の縦竿を通す  乳を、のぼり旗の左右両側に取り付け、風の方向により縦竿を通す  乳  を選択して、消費者に  のぼり旗の正面を見せようとする  のぼり旗の発明である。
【発明の概要】
【発明が解決しようとする課題】
【０００７】
解決しようとする問題点は、同一の  のぼり旗を２本以上  複数本立てた  のぼり旗列の通路において、左から風が吹いているとき、地点０４  から地点０５へ向かう通行者０２には  のぼり旗の正面が見えても、反対方向から来る  対向通行者０３には、判読困難な  のぼり旗の裏面しか見えないことである（図１）。
【課題を解決するための手段】
【０００８】
本発明は、同一の  のぼり旗  を２枚以上  複数枚制作するとき、のぼり旗  の縦竿０６  を通す  乳０７を、のぼり旗  正面の左側につける従来の  のぼり旗００  と、のぼり旗  の縦竿０６  を通す  乳０８  を  のぼり旗  正面の右側につける  対向のぼり旗０１  を同枚数  制作することで解決した（図２）。のぼり旗００  および  対向のぼり旗０１に、各々縦竿と横竿を通して、左側からくる風のある場所に立てたとき、手前に立つ人は  のぼり旗００の正面を、そして  対向のぼり旗０１の裏面が見えることになる（図３）。この場合、２本の  のぼり旗の反対側に立っている人は、のぼり旗００の裏面と  対向のぼり旗０１の正面を見ることになる。  ２本以上  複数本からなる同一の  のぼり旗の列について、図４におけるごとく、のぼり旗００  と  対向のぼり旗０１を交互に立てることにより、地点０４  から地点０５へ向かう通行者０２  ならびに反対方向  地点０５から地点０４へ向かって来る  対向通行者０３  の双方  各々  が、のぼり旗列の  半数の  のぼり旗の正面を見ることができること、さらに、のぼり旗の縦竿を通す乳の列を片方に限定して、のぼり旗  の形状  デザインをスッキリと保てることが主要な特徴である。
【発明の効果】
【０００９】
本発明の対向のぼり旗０１  と従来の  のぼり旗００  の  双方を交互に、左方向からの風のある場所に立てたとき、地点０４  から地点０５にむかう通行者０２は、従来の  のぼり旗００  の正面を見るが、対向のぼり旗０１  の裏面を見ることになる（図４）。一方、地点０５  から地点０４にむかって通行者０２  に近づいてくる  対向通行者０３  は、対向のぼり旗０１  の正面を見るとともに、のぼり旗００  の裏面を見ることになる（図４）。それは、風の吹く方向が変化しても、通行者０２  も、対向通行者０３  も、常時  同一の  のぼり旗列の
半数の  のぼり旗の正面を見ることができるようになった。
【図面の簡単な説明】
【００１０】
【図１】は左からの風になびく、のぼり旗００  の列を、通行者０２は  のぼり旗の正面を見るが、対向通行者０３は、のぼり旗００  の裏面をみることになる説明図。
【図２】は  のぼり旗００  縦竿の乳０７  は、のぼり旗  正面の左側に取りつけるが、対向のぼり旗０１は、縦竿の乳０８を  のぼり旗  正面の右側に取りつけ  制作することの説明図。
【図３】は  のぼり旗００と  対向のぼり旗０１に、各々縦竿および横竿を通して、左側からくる風のある場所に立てたとき、前者は正面、後者は裏面が見えることになる説明書。
【図４】は  のぼり旗００と  対向のぼり旗０１  を２本以上交互に複数の  のぼり旗を立てた列をながめるとき、通行者０２が  のぼり旗００  の正面と  対向のぼり旗０１  の裏面を見ており、対向通行者０３  は、同じ  のぼり旗の列を見ているが、対向のぼり旗０１の正面を、そして  のぼり旗００  の裏面を見ることになる説明図。
【発明を実施するための形態】
【００１１】
対向のぼり旗０１  の制作は、のぼり旗  縦竿用の乳０８  を、のぼり旗正面の右側につけるだけ（図２）、という簡単な工程変更で可能であり、のぼり旗００  と対向のぼり旗０１  を交互に立てることにより、通行者０２も対向通行者０３  も判読容易なのぼり旗の正面を見ることができる（図４）という、通行人全体への配慮により、店舗オーナー・イベント企画者の意図が的確に伝えられる、という宣伝・広告の目的がかなうこととなった。
【実施例１】
【００１２】
図４は、本発明  対向のぼり旗０１  と  のぼり旗００  を店舗・イベント会場等で  交互に立てて、双方向に行き交う通行人が、のぼり旗の列について、その半分は正面を見ることができるようにした実施例であるが、時間帯により、天候  あるいは季節によって通行人の流れが変化する場合には、対向のぼり旗０１  の数を増減させることにより、更なる宣伝・広告の効果が期待できる。
【符号の説明】
【００１３】
１    ００  のぼり旗
２    ０１  対向のぼり旗
３    ０２  通行者
４    ０３  対向通行者
５    ０４  手前の地点
６    ０５  先方の地点
７    ０６  縦竿
８    ０７  のぼり旗の乳
９    ０８  対向のぼり旗の乳
１０  ０９  横竿の乳
１１  １０  横竿
【図１】
2010271438.tif 000003
【図２】
2010271438.tif 000004
【図３】
2010271438.tif 000005
【図４】
2010271438.tif 000006